(57)【要約】【課題】所定の操作の一連の手順をガイダンス表示する際に、一連の操作手順の全体像をユーザが把握できるようにするとともに、ユーザが操作の順番を正確に把握できるようにする。【解決手段】画像形成装置において、フィルム検出センサによりトレイにフィルムが装填されていない状態であることが検出されると、ユーザによる一連のフィルム装填操作（第１セクション〜第４セクション）の動画データを表示部に循環表示する。このとき、ユーザが各セクション間を視認可能なように、各セクションの動画データの表示前に表示開始画面、各セクションの動画データ表示後に表示終了画面を表示部に表示する。循環表示中にモード切り換えＳＷが押下されると、フィルム装填操作の一連の手順をその起点となる第１セクションから１サイクルのみユーザの操作に応じて表示部に表示する。【選択図】図４
2006243160.tif 000002
【特許請求の範囲】
【請求項１】
画像形成装置に備えられ、前記画像形成装置の操作に関する情報を表示する表示手段を有する操作ガイダンス表示装置であって、
前記画像形成装置に対して操作者による所定の操作を必要とする状態となったことを検出する状態検出手段と、
前記所定の操作の一連の手順を示す動画データを記憶する動画データ記憶手段と、
前記所定の操作の一連の手順を前記表示手段に表示する際の表示モードの切り換えを指示するモード切り換え手段と、
前記状態検出手段により前記所定の操作を必要とする状態となったことが検出された際に、前記所定の操作の一連の手順を示す動画データを前記表示手段に循環的に表示させ、前記モード切り換え手段により表示モードの切り換えが指示されると、前記所定の操作の一連の手順を示す動画データを操作の起点から１サイクルのみ前記表示手段に表示する表示制御手段を備えたことを特徴とする操作ガイダンス表示装置。
【請求項２】
前記動画データは、複数のセクションから構成され、
前記表示制御手段は、前記所定の操作の一連の手順を前記表示手段に循環的に表示する際に、前記セクション間を視認可能に表示することを特徴とする請求項１に記載の操作ガイダンス表示装置。
【請求項３】
前記表示制御手段は、前記所定の操作の一連の手順を前記表示手段に循環的に表示する際に、同時に前記モード切り換え手段として機能するモード切り換えスイッチを前記表示手段に表示させることを特徴とする請求項１又は２に記載の操作ガイダンス表示装置。
【請求項４】
前記画像形成装置は、感光性フィルムに画像を形成する装置であって、
前記状態検出手段は、新規フィルムの装填操作を必要とする状態となったことを検出し、
前記表示制御手段は、前記新規フィルムの装填操作の一連の手順を前記表示手段に表示することを特徴とする請求項１〜３の何れか一項に記載の操作ガイダンス表示装置。
【請求項５】
前記動画データは、複数のセクションから構成され、
前記所定の操作の一連の手順を前記表示手段に循環的に表示する際に、前記セクション間でビープ音を出力するビープ音出力手段を備えたことを特徴とする請求項１〜４の何れか一項に記載の操作ガイダンス表示装置。
【請求項６】
画像形成装置の操作に関する情報を表示手段に表示する操作手順表示方法であって、
前記画像形成装置において操作者による所定の操作を必要とする状態となったことが検出された際に、前記所定の操作の一連の手順を示す動画データを前記表示手段に循環的に表示させ、表示モードの切り換えが指示されると、前記所定の操作の一連の手順を示す動画データを操作の起点から１サイクルのみ前記表示手段に表示することを特徴とする操作手順表示方法。
【請求項７】
前記動画データは、複数のセクションから構成され、
前記所定の操作の一連の手順を前記表示手段に循環的に表示する際に、前記セクション間を視認可能に表示することを特徴とする請求項６に記載の操作手順表示方法。
【請求項８】
前記所定の操作の一連の手順を前記表示手段に循環的に表示する際に、同時に前記表示モードの切り換えを指示入力するためのモード切り換えスイッチを前記表示手段に表示させることを特徴とする請求項６又は７に記載の操作手順表示方法。
【請求項９】
前記画像形成装置は、感光性フィルムに画像を形成する装置であって、
前記新規フィルムの装填操作を必要とする状態となったことが検出された際に、前記新規フィルムを装填操作するための一連の手順を前記表示手段に表示することを特徴とする請求項６〜８の何れか一項に記載の操作手順表示方法。
【請求項１０】
前記動画データは、複数のセクションから構成され、
前記所定の操作の一連の手順を前記表示手段に循環的に表示する際に、前記セクション間でビープ音を出力することを特徴とする請求項６〜９の何れか一項に記載の操作手順表示方法。
【発明の詳細な説明】
【技術分野】
【０００１】
本発明は、画像形成装置に備えられ、必要時に操作者がなすべき操作の一連の手順を表示手段に表示する操作ガイダンス表示装置及び操作手順表示方法に関する。
【背景技術】
【０００２】
従来、各種装置において、操作者の操作手順を説明するためのガイダンス画像を操作手順に従って順次液晶ディスプレイ等の表示手段に表示するものが知られている。
【０００３】
一連の操作手順を説明するためのガイダンス画像の表示方法としては、例えば、操作者による画像の切り換え操作（操作スイッチの押下等）に応じて、順次ガイダンス画像を切り換え表示する、所謂ウィザード方式が知られている。また、特許文献１には、画像形成装置におけるジャム処理操作のための一連の手順を動画により循環表示する方法が開示されている。また、特許文献２には、一連のジャム処理操作を、操作完了を検知できる操作項目から次の検知できる操作項目までを１ブロックとして分割し、ブロック毎に表示部への表示を順次行い、ブロック間の移行を操作完了の検知信号をトリガとして行う方法が記載されている。
【特許文献１】特許第３２３２０７４号公報
【特許文献２】特開２００４−１５１３６９号公報
【発明の開示】
【発明が解決しようとする課題】
【０００４】
上述のウィザード方式は、切り換え操作の回数が多く煩雑である。また、ウィザード方式及び特許文献２に記載の方法においては、全体でどれだけの操作手順があるのかという全体像が掴み難いという問題がある。
【０００５】
一方、特許文献１においては、一連の操作手順の全体像を容易に把握することはできるが、循環表示のため、操作の開始となる手順及び終了となる手順がわかりづらく、操作者が操作の順番を誤ってしまう可能性がある。
【０００６】
例えば、熱現像感光材料又は感光感熱記録材料からなる感光性フィルムに画像を形成する医療用の画像形成装置に対してユーザがフィルム装填操作をする場合、まずフィルムパッケージを給紙トレイに装填し、シャッターを閉めてトレイ内を光密（遮光）状態にした後、遮光性のバリア袋の一端を開放し、給紙トレイを装置内にセットして、バリア袋を装置内又は装置外に退避させるという手順となるが、この手順を誤ってフィルム装填前にバリア袋を開放してしまうと、フィルムが露光されてしまい、使用不可能となってしまう。或いは、これに気付かずに医用画像の形成を行ってしまうと、不適正な診断画像を医師が読影することとなり、誤診に繋がる危険性がある。
【０００７】
本発明の課題は、所定の操作の一連の手順をガイダンス表示する際に、一連の操作手順の全体像を操作者が把握できるようにするとともに、操作者が操作の順番を正確に把握できるようにすることである。
【課題を解決するための手段】
【０００８】
上記課題を解決するため、請求項１に記載の発明は、
画像形成装置に備えられ、前記画像形成装置の操作に関する情報を表示する表示手段を有する操作ガイダンス表示装置であって、
前記画像形成装置に対して操作者による所定の操作を必要とする状態となったことを検出する状態検出手段と、
前記所定の操作の一連の手順を示す動画データを記憶する動画データ記憶手段と、
前記所定の操作の一連の手順を前記表示手段に表示する際の表示モードの切り換えを指示するモード切り換え手段と、
前記状態検出手段により前記所定の操作を必要とする状態となったことが検出された際に、前記所定の操作の一連の手順を示す動画データを前記表示手段に循環的に表示させ、前記モード切り換え手段により表示モードの切り換えが指示されると、前記所定の操作の一連の手順を示す動画データを操作の起点から１サイクルのみ前記表示手段に表示する表示制御手段を備えたことを特徴としている。
【０００９】
請求項２に記載の発明は、請求項１に記載の発明において、
前記動画データは、複数のセクションから構成され、
前記表示制御手段は、前記所定の操作の一連の手順を前記表示手段に循環的に表示する際に、前記セクション間を視認可能に表示することを特徴としている。
【００１０】
請求項３に記載の発明は、請求項１又は２に記載の発明において、
前記表示制御手段は、前記所定の操作の一連の手順を前記表示手段に循環的に表示する際に、同時に前記モード切り換え手段として機能するモード切り換えスイッチを前記表示手段に表示させることを特徴としている。
【００１１】
請求項４に記載の発明は、請求項１〜３の何れか一項に記載の発明において、
前記画像形成装置は、感光性フィルムに画像を形成する装置であって、
前記状態検出手段は、新規フィルムの装填操作を必要とする状態となったことを検出し、
前記表示制御手段は、前記新規フィルムの装填操作の一連の手順を前記表示手段に表示することを特徴としている。
【００１２】
請求項５に記載の発明は、請求項１〜４の何れか一項に記載の発明において、
前記動画データは、複数のセクションから構成され、
前記所定の操作の一連の手順を前記表示手段に循環的に表示する際に、前記セクション間でビープ音を出力するビープ音出力手段を備えたことを特徴としている。
【００１３】
請求項６に記載の発明は、
画像形成装置の操作に関する情報を表示手段に表示する操作手順表示方法であって、
前記画像形成装置に対して操作者による所定の操作を必要とする状態となったことが検出された際に、前記所定の操作の一連の手順を示す動画データを前記表示手段に循環的に表示させ、表示モードの切り換えが指示されると、前記所定の操作の一連の手順を示す動画データを操作の起点から１サイクルのみ前記表示手段に表示することを特徴としている。
【００１４】
請求項７に記載の発明は、請求項６に記載の発明において、
前記動画データは、複数のセクションから構成され、
前記所定の操作の一連の手順を前記表示手段に循環的に表示する際に、前記セクション間を視認可能に表示することを特徴としている。
【００１５】
請求項８に記載の発明は、請求項６又は７に記載の発明において、
前記所定の操作の一連の手順を前記表示手段に循環的に表示する際に、同時に前記表示モードの切り換えを指示入力するためのモード切り換えスイッチを前記表示手段に表示させることを特徴としている。
【００１６】
請求項９に記載の発明は、請求項６〜８の何れか一項に記載の発明において、
前記画像形成装置は、感光性フィルムに画像を形成する装置であって、
前記新規フィルムの装填操作を必要とする状態となったことが検出された際に、前記新規フィルムを装填操作するための一連の手順を前記表示手段に表示することを特徴としている。
【００１７】
請求項１０に記載の発明は、請求項６〜９の何れか一項に記載の発明において、
前記動画データは、複数のセクションから構成され、
前記所定の操作の一連の手順を前記表示手段に循環的に表示する際に、前記セクション間でビープ音を出力することを特徴としている。
【発明の効果】
【００１８】
請求項１、６に記載の発明によれば、画像形成装置に対して操作者による所定の操作を必要とする状態となったことが検出された際に、所定の操作の一連の手順を示す動画データを表示手段に循環的に表示させ、表示モードの切り換えが指示されると、所定の操作の一連の手順を示す動画データを操作の起点から１サイクルのみ表示手段に表示する。従って、まず操作者がなすべき所定の操作の一連の手順が循環的に表示されるので、操作者はその操作手順の全体像を把握することが可能となり、表示モードの切り換えにより所定の操作の起点から１サイクルの操作手順が表示されるので、操作者は操作手順の起点からの操作の順番を正確に把握することが可能となる。
【００１９】
請求項２、７に記載の発明によれば、所定の操作の一連の手順を示す動画データは複数のセクションから構成され、その操作の一連の手順を表示手段に循環的に表示する際に、セクション間を視認可能に表示するので、操作者は、循環表示が行われている際にも各セクションの操作の起点及び終了点を認識することが可能となり、一連の操作手順を正確に把握することが可能となる。
【００２０】
請求項３、８に記載の発明によれば、所定の操作の一連の手順を表示手段に循環的に表示する際に、同時に表示モードの切り換えを指示入力するためのモード切り換えスイッチを表示手段に表示するので、操作者は容易に表示モードを切り換えることが可能となる。
【００２１】
請求項４、９に記載の発明によれば、感光性フィルムに画像を形成する画像形成装置において、新規フィルムの装填操作を必要とする状態となったことが検出された際に、操作者は、新規フィルムの装填操作の一連の手順の全体像及び操作の起点からの操作の順番を正確に把握することが可能となるので、操作手順を誤って、画像形成装置内にフィルムパッケージを装填する前に遮光性のバリア袋を開放してしまいフィルムが露光されて使用不可能となるといった事態を防止することが可能となる。
【００２２】
請求項５、１０に記載の発明によれば、所定の操作の一連の手順を示す動画データは複数のセクションから構成され、その操作の一連の手順を表示手段に循環的に表示する際に、セクション間でビープ音を出力するので、操作者は、循環表示が行われている際にも各セクションの操作の起点及び終了点を認識することが可能となり、一連の操作手順を正確に把握することが可能となる。
【発明を実施するための最良の形態】
【００２３】
以下、図を参照して本発明の実施の形態を詳細に説明する。本実施の形態においては、本発明の操作ガイダンス表示装置を医療用レーザ露光熱現像式のプリンタである画像形成装置１００に適用し、操作者としてのユーザによるフィルム装填操作の一連の手順を表示する場合を例にとり説明するが、これに限定されない。
【００２４】
まず、構成を説明する。図１に、本発明に係る画像形成装置１００の機能的構成示す。画像形成装置１００は、図１に示すように、制御部１１、操作部１２、表示部１３、フィルム搬送部１４、露光部１５、熱現像部１６、Ｉ／Ｆ１７等を備えて構成され、各部はバスにより接続されている。
【００２５】
制御部１１は、ＣＰＵ（Central Processing Unit）１１ａ、記憶部１１ｂ、ＲＡＭ(Random Access Memory）１１ｃ等により構成される。
ＣＰＵ１１ａは記憶部１１ｂに記憶されているシステムプログラムを読み出し、ＲＡＭ１１ｃ内に形成されたワークエリアに展開し、該システムプログラムに従って各部を制御する。また、ＣＰＵ１１ａは、記憶部１１ｂに記憶されているフィルム装填操作手順表示処理プログラムを始めとする各種処理プログラムを読み出しＲＡＭ１１ｃに形成されたワークエリアに展開し、後述するフィルム装填操作手順表示処理を始めとする各種処理を実行する。
【００２６】
記憶部１１ｂは、ＲＯＭ（Read Only Memory）又は不揮発性の半導体メモリ等により構成され、ＣＰＵ１１ａで実行されるシステムプログラム、当該システムプログラムに対応するフィルム装填操作手順表示処理プログラムを始めとする各種処理プログラム、各種データ等を記憶する。これらの各種プログラムは、読取可能なプログラムコードの形態で格納され、ＣＰＵ１１ａは、当該プログラムコードに従った動作を逐次実行する。
【００２７】
また、記憶部１１ｂは、動画データ記憶手段として、図１に示すように、フィルム装填操作の一連の手順を表示部１３に表示するための動画データ１１０を記憶している。この動画データ１１０は、第１セクションの動画データ１１１、第２セクションの動画データ１１２、第３セクションの動画データ１１３、第４セクションの画像データ１１４により構成されている。第１セクションの動画データ１１１は、フィルム装填操作の一連の手順における第１セクション（トレイ準備操作）に対応する動画データである。第２セクションの動画データ１１２は、フィルム装填操作の一連の手順における第２セクション（パッケージ装填操作）に対応する動画データである。第３セクションの動画データ１１３は、フィルム装填操作の一連の手順における第３セクション（バリアカット操作）に対応する動画データである。第４セクションの動画データは、フィルム装填操作の一連の手順における第４セクション（トレイ収納操作）に対応する動画データである。
【００２８】
ＲＡＭ１１ｃは、ＣＰＵ１１ａにより実行されるフィルム装填操作手順表示処理を始めとする各種プログラム、処理中のデータ、処理結果などを一時的に記憶するワークエリアを形成する。
【００２９】
操作部１２は、例えば、表示部１３と一体的に構成されるタッチパネルにより構成され、表示部１３の表示画面におけるユーザからのタッチ入力を受け付け、その入力信号を制御部１１に出力する。
【００３０】
表示部１３は、ＬＣＤ（Liquid Crystal Display）等からなる表示画面により構成され、制御部１１から入力される表示信号の指示に従って、表示画面上に、フィルム装填操作手順等の画像形成装置１００の操作に関する情報や画像形成装置１００の状態に関する情報を表示する。
【００３１】
フィルム搬送部１４は、フィルム装填部１４１、図示しないフィルム検出センサ、フィルムピックアップ及び搬送ローラ等を備え、フィルム装填部１４１に装填された熱現像感光性フィルム（以下、単にフィルムと称する）を搬送経路に沿って搬送する。
図２に、フィルム装填部１４１の一例を示す。フィルム装填部１４１は、図２に示すように、給紙トレイ（以下、単にトレイと称する）１、巻き取り軸２、押さえ板３、シャッター４、カッター収納ポケット（以下、単に収納ポケットと称する）５等を備えて構成されている。
【００３２】
このフィルム装填部１４１に新しいフィルムを装填するには、ユーザがフィルムパッケージＰをトレイ１内に装填操作する必要がある。図３（ａ）は、フィルムパッケージＰの側面を透過的に示す模式図、図３（ｂ）は、フィルムパッケージＰの上面を示す模式図である。フィルムパッケージＰは、図３（ａ）に示すように、遮光性のバリア袋Ｂ１内に、多数のフィルムが積層されてなるフィルム積層体Ｆを収納したものである。バリア袋Ｂ１内部には、フィルム積層体Ｆが当てボールＢ２に支持された状態で収納されており、バリア袋Ｂ１の前端部Ｅ３及び後端部Ｅ４は、ヒートシールなどにより表裏張り合わされた上で（図３（ｂ）の斜線Ｈ部分）、更にテープＴで止められている。
【００３３】
ユーザによるフィルムパッケージＰの装填操作の一連の手順は、以下の第１セクション（トレイ準備操作）、第２セクション（パッケージ装填操作）、第３セクション（バリアカット操作）、第４セクション（トレイ収納操作）の４つのセクションにより構成される。
・まず、トレイ１を引き出し、シャッター４を開き、トレイ１内に、以前装填したフィルムパッケージＰのバリア袋Ｂ１と当てボールＢ２がある場合はそれらを取りだす（第１セクション）。
・次いで、新しいフィルムパッケージＰをトレイ１に入れ、新しいフィルムパッケージＰのテープＴを剥がし、フィルムパッケージＰの後端部Ｅ４を巻き取り軸２と押さえ板３の間に確実に差し込む（第２セクション）。
・次いで、フィルムパッケージＰの前端部Ｅ３がはみ出るようにシャッター４を手前側に引いて閉じ、トレイ１内部を光密（遮光）状態にした上で、収納ポケット５に収納されているカッターではみ出した前端部Ｅ３を切り取る（第３セクション）。
・そして、カッターを収納ポケット５に戻してトレイ１を閉じる（第４セクション）。
【００３４】
上述の、フィルム装填操作の一連の手順は、第１セクション、第２セクション、第３セクション、第４セクションの順に従って、正しく行わなければならない。この手順を誤り、フィルム装填前にバリア袋Ｂ１を開放してしまうと、フィルムが露光されてしまい、使用不可能となってしまうからである。
【００３５】
上記の第１〜第４セクションの手順でフィルムパッケージＰが装填され、トレイ１が閉じられると、フィルム装填部１４１において、制御部１１からの制御により駆動される図示しないモータにより巻き取り軸２が回動され、これによりバリア袋Ｂ１のみが巻き取られ、トレイ１外に退避される。これにより、フィルムの搬送が可能となる。
【００３６】
フィルム搬送部１４内のフィルム検出センサは、フィルム装填部１４１のトレイ１にフィルムが装填された状態であるか否かを検出して制御部１１に出力する状態検出手段である。フィルム検出センサは、例えば、フィルムピックアップ付近に設けられ、フィルムを検出すると制御部１１にフィルム検出信号を出力する。制御部１１は、画像形成時にフィルム搬送部１４にフィルムの搬送を指示してから所定時間内にフィルム検出センサからのフィルム検出信号が出力されない場合に、トレイ１にフィルムが装填されていない状態となったこと、即ち、ユーザによるフィルム装填の操作を必要とする状態となったことを検知する。
【００３７】
図１に戻り、露光部１５は、図示しないパルス幅変調部と、半導体レーザ、ポリゴンミラー及びｆθレンズ等の結像レンズ等を有する平面走査光学系とを備え、制御部１１からの制御信号に基づいて、入力画像信号に応じて変調したレーザ光でフィルムを走査露光してフィルム上に画像を形成する。  熱現像部１６は、図示しないヒートローラと、ヒートローラにフィルムを接触させる対向ローラとを備えて構成され、露光済みのフィルムを熱現像処理して出力する。
【００３８】
Ｉ／Ｆ１７は、外部のホストコンピュータ、医用画像撮影装置、医用画像読取装置、ストレージ装置等と画像形成装置１００を接続し、画像信号を入力するためのインターフェースである。画像信号は、各種ネットワークを介して入力される態様としてもよい。
【００３９】
本発明の操作ガイダンス表示装置は、これらの画像形成装置１００を構成する各部のうち、制御部１１、操作部１２、表示部１３、フィルム搬送部１４のフィルム検出センサにより構成される。
【００４０】
次に、図４を参照して本発明に係る画像形成装置１００の動作について説明する。
図４は、制御部１１により実行されるフィルム装填操作手順表示処理を示すフローチャートである。当該処理は、フィルム搬送部１４のフィルム検出手段からの出力に基づきトレイ１にフィルムが装填されていない状態であることが検出された際に実行される処理であり、表示部１３に、ユーザによる一連のフィルム装填の操作手順を動画によりガイダンス表示するものである。当該処理により、表示制御手段が実現される。
【００４１】
フィルム検出手段からの出力に基づきトレイ１にフィルムが装填されていない状態であることが検出されると、記憶部１１ｂからフィルム装填操作手順の動画データ１１０がＲＡＭ１１ｃに読み出され、表示部１３にフィルム装填操作の一連の手順が循環的に表示される（ステップＳ１）。
【００４２】
ユーザによる一連のフィルム装填の操作手順は、その内容から上述したように第１〜第４セクションに区分することができる。ステップＳ１においては、「第１セクション→第２セクション→第３セクション→第４セクション→第１セクション→第２セクション→・・・」のように、第１セクションから順に操作手順を説明するための動画データが表示され、第４セクションまで表示された後、第１セクションから繰り返し動画データが表示される。
【００４３】
なお、ステップＳ１において操作手順が循環表示されている間、表示画面上には同時にモード切り換えＳＷ（スイッチ）が表示される（図５の「モード切換」ＳＷ）。このモード切り換えＳＷは、ユーザにより押下操作されることにより、フィルム装填操作の一連の手順を循環表示するモードからフィルム装填操作の一連の手順を操作の起点から１サイクルのみ表示するモードへの切り換えを指示する切り換え信号を制御部１１に出力するものである。制御部１１においては、循環表示されている間、モード切り換えＳＷからの切り換え信号の入力が監視される。この切り換えＳＷが押下されるまで、第１セクション〜第４セクションの操作手順が循環表示される。これにより、ユーザは、フィルムの装填に必要な一連の操作の全体像を把握することが可能となる。
【００４４】
ここで、第１〜第４セクションの操作手順をセクション間で区切ることなく繰り返し表示すると、ユーザは、各セクションの操作の起点及び終了点や、表示されている手順が全体の何番目のセクションであるのかがわからなくなり、正しく操作手順を把握できない可能性がある。そこで、各セクションの操作手順をそれぞれ表示する際には、セクション間の切り換わりをユーザが視認可能なように、各セクションの操作手順の動画データの表示をスタートさせる前に、操作手順の表示開始を示す表示開始画面が表示され、操作手順の動画表示後、操作手順の表示終了を示す表示終了画面が表示される。また、表示されている手順が全体の何番目のセクションであるのかをユーザが把握できるように、各セクションの動画データを表示する際には、画面の所定領域に、全体で何セクション存在し、現在何番目のセクションが表示されているのかが表示される。
【００４５】
図５に、第１セクションの操作手順の表示例を示す。
図５に示すように、第１セクションの操作手順の表示において、まず、第１セクションの表示開始画面として、白画面が表示され（図５（ａ））、徐々に第１セクションの動画データの１コマ目の画像が表示される（図５（ｂ））。１コマ目の画像が完全に表示されると、第１セクションの操作手順が動画により表示部１３に表示される（図５（ｃ））。
【００４６】
図６に、第１セクションの操作手順の動画表示の一部を示す。第１セクションの動画データを表示部１３に表示することにより、トレイ１を引き出し（図６（ａ）、（ｂ））、シャッター４を開き（図６（ｃ））、トレイ１内に存在する、以前装填したフィルムパッケージＰの当てボールＢ２を取り除き（図６（ｄ））、以前装填したフィルムパッケージＰのバリア袋を引き出して取り除き（図６（ｅ））、トレイ１内を空の状態にする（図６（ｆ））、といった第１セクションの操作手順がガイダンス表示される。
【００４７】
第１セクションのガイダンス表示が終了すると、続いて第１セクションの表示終了画面が表示部１３に表示される。図５（ｄ）、（ｅ）に示すように、表示終了画面においては、第１セクションの動画データの最終コマの画像の色が徐々に白く変更され、最終的に白画面が表示される。表示終了画面の表示後、第２セクションの表示開始画面が表示され、第１セクションと同様に、表示開始画面、動画データ、表示終了画面が表示される。第３、第４セクションにおいても同様である。
【００４８】
図４のステップＳ２において、ユーザによりモード切り換えＳＷが操作され、モード切り換えが指示されると（ステップＳ２；ＹＥＳ）、フィルム装填操作の一連の手順を操作の起点である第１セクションから順に１サイクルのみ表示するモードに切り換えられる。即ち、第１セクションの操作手順が表示部１３に表示され（ステップＳ３）、第１セクションの表示後、次セクションの表示が指示されると（ステップＳ４；次セクション）、第２セクションの操作手順が表示部１３に表示され（ステップＳ５）、第２セクションの表示後、次セクションの表示が指示されると（ステップＳ６；次セクション）、第３セクションの操作手順が表示部１３に表示され（ステップＳ７）、第３セクションの表示後、次セクションの表示が指示されると（ステップＳ８；次セクション）、第４セクションの操作手順が表示部１３に表示され（ステップＳ９）、フィルム装填操作手順表示処理は終了する。また、各セクションの表示後、終了が指示された場合（ステップＳ４；終了、ステップＳ６；終了、ステップＳ８；終了）、フィルム装填操作手順表示処理は終了する。
【００４９】
モード切り換え後に各セクションの操作手順を表示する際には、図５で説明したのと同様に、まず、表示開始画面が表示され、次いで、そのセクションの操作手順の動画データが表示され、最後に、表示終了画面が表示される。各セクションの表示終了画面には、次セクションの操作手順の表示を指示する「次へ」ＳＷ及び操作手順表示の終了を指示する「終了」ＳＷが表示される。これによりユーザは、全体の一連の手順における操作の起点から自分の操作の進行に合わせてセクション別にガイダンス表示を行うことができる。また、循環表示で手順が把握できており、操作の起点のみがわかればよい場合等、必要がなければガイダンス表示を終了することも可能となる。
【００５０】
以上説明したように、画像形成装置１００の操作ガイダンス表示装置によれば、フィルム検出センサによりトレイ１にフィルムが装填されていない状態であることが検出されると、ユーザによる一連のフィルム装填操作（第１セクション〜第４セクション）の動画データを表示部１３に循環表示する。このとき、ユーザが各セクション間を視認可能なように、各セクションの動画データの表示前に表示開始画面、各セクションの動画データ表示後に表示終了画面を表示部１３に表示する。循環表示中にモード切り換えＳＷが押下されると、フィルム装填操作の一連の手順をそのスタートとなる第１セクションから１サイクルのみユーザの操作に応じてセクション別に表示部１３に表示する。
【００５１】
従って、ユーザは、新しいフィルムを装填する必要が生じたとき、まず、一連のフィルム装填操作手順の全体像を循環表示により把握することができ、その後、操作手順の起点から、各セクションの操作手順をユーザ所望のタイミングで順を追って確認することが可能となる。各セクションを表示するにあたっては、表示開始画像及び表示終了画像が表示されるので、ユーザは、循環表示が行われている際にも各セクションの操作の起点及び終了点を認識することが可能となり、一連の操作手順を正確に把握することが可能となる。その結果、ユーザが手順を誤ってトレイにフィルムパッケージＰを装填する前にバリア袋Ｂ１を開放してしまいフィルムが露光されて使用不可能となったり、そのまま露光されたフィルムに医用画像を形成し、不適正な診断画像を医師が読影してしまったりする事態を防止することが可能となる。
【００５２】
なお、上記実施の形態における記述内容は、本発明に係る画像形成装置１００の好適な一例であり、これに限定されるものではない。
【００５３】
例えば、上記実施の形態においては、一連の操作手順のセクション間をユーザが視認可能なように表示開始画面及び表示終了画面を表示することとしたが、これに限定されず、画像形成装置１００の操作ガイダンス表示装置にビープ音出力手段としてのブザーを備える構成とし、ユーザがセクション間を認識可能なように各セクション間でビープ音を発生させるようにしてもよい。このとき、ビープ音の高低や出力サイクルを表示するセクションに応じて変えることにより、ユーザがより容易にセクションを認識できるようにすることが望ましい。例えば、第１セクション開始時には相対的に低いビープ音を出力し、順を追って開始時に出力するビープ音を高くしていくことにより、ユーザは表示されている操作手順が全体のどのあたりに位置する手順かを感覚的に認識することが可能となる。
【００５４】
また、上記実施の形態においては、表示開始画面を白い画面から徐々に動画データの１コマ目を表示していく画面とし、表示終了画面を動画データの最終コマから徐々に白い画面に遷移する画面としたが、表示開始画面、表示終了画面の表示例としては、これに限定されず、単一色の画面を表示したり、「第○セクション開始」等の表示をしたりすることも可能である。
【００５５】
また、上記実施の形態においては、本発明を画像形成装置１００における新規フィルムの装填操作手順の表示に適用した場合を例にとり説明したが、本発明は、新規フィルムの装填操作手順の表示に限らず、画像形成装置における他の操作手順の表示、例えば、ジャム処理手順の表示等に適用することも可能である。また、他の装置における操作手順の表示に適用することも可能である。
【００５６】
その他、画像形成装置１００の細部構成及び細部動作に関しても、本発明の趣旨を逸脱することのない範囲で適宜変更可能である。
【図面の簡単な説明】
【００５７】
【図１】本発明に係る画像形成装置１００の機能的構成を示すブロック図である。
【図２】図１のフィルム装填部１４１の一例を示す図である。
【図３】図３（ａ）は、フィルムパッケージＰの側面を透過的に示す模式図、図３（ｂ）は、フィルムパッケージＰの上面を示す模式図である。
【図４】図１の制御部１１により実行されるフィルム装填操作手順表示処理を示すフローチャートである。
【図５】第１セクションの操作手順の表示例を示す図である。
【図６】第１セクションの操作手順の動画表示の一部を示す図である。
【符号の説明】
【００５８】
１００  画像形成装置
１１  制御部
１１ａ  ＣＰＵ
１１ｂ  記憶部
１１０  動画データ
１１１  第１セクションの動画データ
１１２  第２セクションの動画データ
１１３  第３セクションの動画データ
１１４  第４セクションの動画データ
１１ｃ  ＲＡＭ
１２  操作部
１３  表示部
１４  フィルム搬送部
１４１  フィルム装填部
１５  露光部
１６  熱現像部
１７  Ｉ／Ｆ
【図１】
2006243160.tif 000003
【図２】
2006243160.tif 000004
【図３】
2006243160.tif 000005
【図４】
2006243160.tif 000006
【図６】
2006243160.tif 000007
【図５】
2006243160.tif 000008